(57)【特許請求の範囲】
【請求項１】
用紙情報生成手段と画像形成手段を有し、前記画像形成手段により複写偽造防止用紙を生成する複写偽造防止用紙生成装置において、前記用紙情報生成手段は、複写機で解像できるパターンと複写機で解像できないパターンの２種類の定義部分と、一方のパターンでページ内を埋め尽くす手続き部分と、その上で指定パス内を画像形成されない色で塗りつぶす手続き部分と、さらに同一の指定パスで描画クリップ状態を生成する手続き部分と、該描画クリップ状態のもとで他方のパターンでページ内を埋め尽くす手続き部分を含む描画情報を前記画像形成手段に送り、前記画像形成手段は、前記描画情報を受け取って描画処理を行い、画像を形成することによって複写偽造防止用紙を得ることを特徴とする複写偽造防止用紙生成装置。
【請求項２】
前記指定パスは、基本パスを特定のルールに従って、ページ上に配置したものであることを特徴とする請求項１に記載の複写偽造防止用紙生成装置。
【請求項３】
前記特定のルールは、ページ上に配置する複数の基本パス同士の水平方向の間隔と垂直方向の間隔を一定間隔とするものであることを特徴とする請求項２に記載の複写偽造防止用紙生成装置。
【請求項４】
前記指定パスは、特定のフォントの特定のフォントサイズで表現される特定の文字列輪郭データであることを特徴とする請求項１ないし請求項３のいずれか１項に記載の複写偽造防止用紙生成装置。
【請求項５】
２種類の前記パターンは、生成する複写偽造防止用紙の特定の背景色に基づいて決定することを特徴とする請求項１ないし請求項４のいずれか１項に記載の複写偽造防止用紙生成装置。
【請求項６】
前記用紙情報生成手段は、前記指定パスに関するパラメータあるいは複写偽造防止用紙の背景色などをユーザが指定する指定手段を有していることを特徴とする請求項１ないし請求項５のいずれか１項に記載の複写偽造防止用紙生成装置。
【請求項７】
前記画像形成手段は、前記描画情報を複数保持可能であり、指示に従って保持している描画情報を選択して画像を形成することを特徴とする請求項１ないし請求項６のいずれか１項に記載の複写偽造防止用紙生成装置。
【請求項８】
複写機で解像できるパターンと複写機で解像できないパターンの２種類の定義部分と、一方のパターンでページ内を埋め尽くす手続部分と、その上で前記指定パス内を画像形成されない色で塗りつぶす手続部分と、さらに同一の前記指定パスで描画クリップ状態を生成する手続部分と、該描画クリップ状態のもとで他方のパターンでページ内を埋め尽くす手続部分を含む描画情報を転送し、該描画情報を実行することによって生成された画像を用紙上に形成して複写偽造防止用紙を生成することを特徴とする複写偽造防止用紙生成方法。
【発明の詳細な説明】
【０００１】
【発明の属する技術分野】
本発明は、複写すると隠されていたパターンが現れる複写偽造防止用紙を生成するための複写偽造防止用紙生成装置および複写偽造防止用紙生成方法に関するものである。
【０００２】
【従来の技術】
従来、機密文書の不正複写を抑制するために、複写偽造防止用紙と呼ばれる特殊な用紙が用いられている。複写偽造防止用紙とは、人間の目には見えにくいが、複写機で複写すると隠されていた警告文字等が浮かび上がってくる特殊なパターンがあらかじめ印刷されている用紙である。この複写偽造防止用紙に印刷された文書を複写機で複写した場合、複写物には「複写禁止」等の警告文字が目立つように浮き出てくるので、不正に複写する行為に対して心理的な抑止になるとともに、オリジナルと複写物とを区別することを可能にしている。
【０００３】
このような複写偽造防止用紙は、多くの場合、あらかじめ特殊な印刷を行っている。そのため、用紙自体のコストが通常の複写機やプリンタで使われる用紙に比べて高く、また、背景パターンやロゴ、シンボルマーク等のデザインを変更する場合、用紙の印刷からやり直す必要があり、時間やコストがかかってしまうという問題がある。さらに、このような印刷物を厳重に保管しておかなければならず、そのための手間やコストがかかっていた。
【０００４】
近年、複写機の読取解像度よりも画像形成装置の解像度の方が高いことを利用し、複写偽造防止用紙を画像形成装置で生成することが考えられている。このような複写偽造防止用紙の生成方法が、例えば特願平１１−３１２７７２号や特開平７−２３１３８４号公報等に記載されている。これらの方法は、複写偽造防止用紙の背景画像データに、一方が複写機で解像可能、もう一方が解像不可能であるような２種類の網点生成処理を施し、別に用意されている、埋め込むべき潜像を表現する２値画像マスクデータの画素値に従い、どちらか一方の網点生成処理画像データを選択出力するものである。このようにして出力された複写偽造防止用紙を複写機で複写すると、複写機で解像可能な網点生成処理画像データ部分、すなわちマスクデータの潜像を表現する部分のみが解像されて複写されるので、結果として、警告文字等が現れ、不正複写の抑止や出所の追跡等に役立つ。
【０００５】
上述のような方法では、複写偽造防止用紙の生成処理が、２種類の網点生成処理、選択出力の際のマスク参照など、大量の画像データへのアクセスが必要であり、処理負荷が非常に大きいという問題がある。特に、処理をソフトウェアで行う場合、処理時間が長くなってしまうという問題がある。
【０００６】
また、生成される複写偽造防止用紙データも画像データであるので、データサイズが大きくなってしまう。そのため、複写偽造防止用紙データを複数保持しておき、利用時に選択可能にする場合、必要な記憶装置の容量は大きくなってしまうし、複写偽造防止用紙データをネットワークを通じて電送する場合の負荷も大きいという問題がある。
【０００７】
さらに、出力装置の解像度が異なる場合、サイズの大きな複写偽造防止用紙データを異なる解像度毎に用意する必要がある。背景画像データ、マスクデータを複写偽造防止用紙データが必要になった時点で拡大処理することで、サイズ上の問題は多少軽減される可能性はあるが、そうすると、埋め込む潜像データの輪郭データが拡大処理により劣化してしまうという問題があった。逆に低解像度の出力装置に対応して縮小処理を施すと、潜像データ自体もノイズとして消去されてしまい、複写偽造防止用紙とならない等の問題もある。
【０００８】
【発明が解決しようとする課題】
本発明は、上述した事情に鑑みてなされたもので、処理時間およびデータ量を低減し、また画像形成装置の解像度によらず所定の品質の複写偽造防止用紙を得ることができる複写偽造防止用紙生成装置および複写偽造防止用紙生成方法を提供することを目的とするものである。
【０００９】
【課題を解決するための手段】
本発明では、複写偽造防止用紙を生成する際に用いる描画情報として、複写機で解像できるパターンと複写機で解像できないパターンの２種類の定義部分と、一方のパターンでページ内を埋め尽くす手続部分と、その上で前記指定パス内を画像形成されない色で塗りつぶす手続部分と、さらに同一の前記指定パスで描画クリップ状態を生成する手続部分と、該描画クリップ状態のもとで他方のパターンでページ内を埋め尽くす手続部分を含む描画情報を用いる。このような描画情報は、例えばＰＤＬ（Ｐａｇｅ  Ｄｅｓｃｒｉｐｔｉｏｎ  Ｌａｎｇｕａｇｅ）等によって記述することができ、従来のようにビットマップなどの画像データに比べて格段にデータ量を削減することができる。また、処理量も、ビットマップなどの画像データを何回もアクセスするのに比べて格段に減少させることができる。さらに、このような描画情報は、画像形成手段の解像度によらない記述であるので、この描画情報をもとに複写偽造防止用紙を生成することによって、画像形成手段の解像度によらず、所定の品質の複写偽造防止用紙を得ることができる。
【００１０】
なお、潜像を埋め込むための指定パスは、例えば、ページ上に配置する複数の基本パス同士の水平方向の間隔と垂直方向の間隔を一定間隔とするなどといった特定のルールに従って基本パスを配置したものであったり、特定のフォントの特定のフォントサイズで表現される特定の文字列輪郭データとすることができる。また、２種類のパターンとしては、生成する複写偽造防止用紙の特定の背景色に基づいて決定することができる。これらの指定パスに関するパラメータあるいは複写偽造防止用紙の背景色などは、ユーザが指定可能に構成することができる。
【００１１】
また、上述のような描画情報を画像形成手段に複数保持しておき、指示に従って保持している描画情報を選択可能に構成することもできる。上述のように描画情報はデータ量が少ないので、複数の複写偽造防止用紙に対応する描画情報を少ない記憶容量で保持可能である。
【００１２】
【発明の実施の形態】
図１は、本発明の複写偽造防止用紙生成装置の実施の一形態を示すブロック図である。図中、１は用紙情報生成部、２はパラメータ指定部、３は画像形成部である。用紙情報生成部１は、パラメータ指定部２からの指示に従い、複写偽造防止用紙の画像を形成するための描画情報を生成する。この描画情報は、複写機で解像できるパターンと複写機で解像できないパターンの２種類の定義部分と、一方のパターンでページ内を埋め尽くす手続き部分と、その上で指定パス内を画像形成されない色で塗りつぶす手続き部分と、さらに同一の指定パスで描画クリップ状態を生成する手続き部分と、該描画クリップ状態のもとで他方のパターンでページ内を埋め尽くす手続き部分を含むものである。詳細については後述する。
【００１３】
なお、潜像を埋め込むための指定パスは、例えば、ページ上に配置する複数の基本パス同士の水平方向の間隔と垂直方向の間隔を一定間隔とするなどといった特定のルールに従って基本パスを配置したものとすることができる。基本パス同士の間隔があまり狭くなると、潜像あるいはそれ以外の部分が潰れて、指定パスの意味がなくなる可能性がある。また指定パスとして、特定のフォントの特定のフォントサイズで表現される特定の文字列輪郭データとすることができる。例えば「禁複写」といった文字列を潜像あるいは潜像以外の部分として指定することができる。さらに潜像あるいはそれ以外の部分に埋め込む２種類のパターンとしては、生成する複写偽造防止用紙の特定の背景色に基づいて決定することができる。同じパターンを用いても背景色の色によっては潜像が目立ちやすくなる場合があり、背景色に応じてなるべく潜像が目立たないようなパターンを決定するとよい。
【００１４】
パラメータ指定部２は、上述のような基本パスを配置する際の特定のルールや、文字列を配置する場合のその文字列、フォント、フォントサイズなど、指定パスに関する各種のパラメータ、あるいは複写偽造防止用紙の背景色などを、ユーザが指定するために設けられている。このような指定が不要であれば、このパラメータ指定部２は必要ない。
【００１５】
画像形成部３は、用紙情報生成部１から送られてくる描画情報を受け取って、描画情報に従って描画処理を行い、用紙上に画像を形成する。これによって複写偽造防止用紙を得ることができる。描画処理は、画像形成部３の画像形成時の解像度に従って行われ、その解像度に最適な複写偽造防止用の画像が生成されるので、良好な複写偽造防止用紙を生成することができる。
【００１６】
次に、本発明の複写偽造防止用紙生成装置の実施の一形態における動作について説明する。用紙情報生成部１は、パラメータ指定部２からの指示に従い、複写偽造防止用紙の画像を形成するための描画情報を生成し、生成した描画情報を画像形成装置に転送する。描画情報を受け取った画像形成部３は、その描画情報に従って描画処理を行い、複写偽造防止用の画像を形成して複写偽造防止用紙を生成する。このとき、画像形成部３では描画情報の構成に沿って描画処理を行う。従って、用紙情報生成部１は、画像形成部３における描画処理の順序に沿って描画情報を生成し、画像形成部３はその順序に沿って描画処理を行う。以下、複写偽造防止用紙を生成するための描画情報の処理過程を説明するが、上述のように用紙情報生成部１では、以下に説明する処理過程が実行されるように描画情報を生成すればよい。
【００１７】
図２は、複写偽造防止用紙に形成する画像を生成する際の処理の一例を示すフローチャート、図３〜図７は、各段階において生成される画像の具体例の説明図、図８は、生成された複写偽造防止用紙を複写機で複写したときに得られる画像の一例の説明図である。なお、以下の説明において描画情報はＰＤＬであるものとし、特にここではＰｏｓｔＳｃｒｉｐｔ（登録商標）を例とする。もちろんこのほかのＰＤＬや、ＰＤＬによる記述以外の描画情報であっても同様である。
【００１８】
まずＳ１１において、以降の処理で必要な出力ページに関する情報を取得する。ＰｏｓｔＳｃｒｉｐｔの場合は、ＰｏｓｔＳｃｒｉｐｔインタプリタにそのためのコマンドを発行する。出力ページ情報としては、ページのサイズ、解像度などがある。
【００１９】
Ｓ１２において、複写機で複写したときに解像可能なパターンと解像不可能なパターンの２種類を定義する。ここで定義されたパターンは以降の処理において利用する。ＰｏｓｔＳｃｒｉｐｔでは、読み出し可能なイメージデータとして定義しておく。このパターンの具体的なデータは、一方が複写機で複写したときに解像可能、もう一方が解像不可能であれば任意であるが、通常は異なる網点生成処理によって生成される。典型的な例としては、解像可能な方のパターンは、ドット集中型のディザのように、生成される網点が比較的大きくなる方法を用いることができる。また、解像不可能な方のパターンは、誤差拡散法などのように、生成される網点が比較的小さくなる方法を用いることができる。網点生成処理は、以下で述べるパターンサイズの背景画像データに対してのみ施せばよいので、ページ全面への処理に比べて処理負荷は非常に小さい。また、背景が単色である場合、背景画像データも用意する必要がない。なお、パターンとしてはイメージデータ（各画素の画素値のならび）のほか、２値のマスクデータ、あるいは網点を描画する命令などであってもよい。
【００２０】
パターンサイズは、パターンを繰り返してページ内を埋め尽くしても、繰り返しが視覚的に目立たない大きさとする。パターンサイズを大きくすれば、繰り返しは目立たなくなるが、その分、描画情報として保持しなければならない画像データのサイズが大きくなってしまい、描画情報のデータ量を少なくするという所期の目的が実現できなくなってしまう。パターンのサイズを小さくすると、パターンの繰り返しが視覚的に目立つ可能性が高まり、また、ＰｏｓｔＳｃｒｉｐｔインタプリタでの展開（ページ内でのパターン描画）時間が長くなってしまう。両者のバランスから適切なパターンサイズを決定すればよい。パターンサイズは、幅、高さを、２種類のパターンそれぞれ独立に決めることができる。
【００２１】
パターン内の網点が解像度に依存する場合（ディザで生成される網点間隔など）は、解像度に応じ異なるパターンを定義しておき、以下で述べるＳ１３、Ｓ１６のパターン描画において、解像度によってパターンを切り替えて描画処理を行うことも可能である。いくつかのパターンを定義しておく場合でも、パターンのサイズが小さければそれほどのデータ量の増加にはならない。
【００２２】
Ｓ１３において、Ｓ１２で定義された２種類のパターンのうちどちらか一方を用いてページを埋め尽くす描画処理を行う。どちらのパターンを用いるかにより、最終的に生成される複写偽造防止用紙において複写したときに現れる絵柄が逆になる。例えば、このＳ１３で、複写機で複写したときに解像不可能なパターンを用いた場合、生成された複写偽造防止用紙を複写機で複写すると、以下で行う指定パスによって描画された図形が現れる。また逆に、このＳ１３で解像可能なパターンを用いた場合は、生成された複写偽造防止用紙を複写機で複写すると、以下で行う指定パスによって描画された図形が白抜けすることになる。
【００２３】
ページ内をパターンで埋め尽くすには、解像度とページサイズから埋め尽くすために必要なパターンの数（行数、列数）を求め、基点座標を変更しつつパターンを１つずつ描画すればよい。これにより、異なる解像度の画像形成装置に対しても同一の描画情報で出力可能となる。ＰｏｓｔＳｃｒｉｐｔの場合、Ｓ１２で定義したパターンのデータがイメージデータであるなら、ｉｍａｇｅオペレータやｃｏｌｏｒｉｍａｇｅオペレータで描画できる。また、パターンデータが２値のマスクデータである場合、描画する色値をｓｅｔｃｍｙｋｃｏｌｏｒオペレータなどで設定した後、ｉｍａｇｅｍａｓｋオペレータを用いて描画可能である。ただし、生成される描画データがそのまま出力装置から出力される必要があるため、網点の画素値は、１画素あたり１バイトの場合は０か２５５に、マスクデータでは０か１にし、色空間はＹＭＣＫでの指定を行わなければならない。
【００２４】
パターンを１つずつ描画するコマンドを生成するかわりに、色値にパターンを使用して（ＰｏｓｔＳｃｒｉｐｔではｍａｋｅｐａｔｔｅｒｎオペレータで生成）、ｆｉｌｌオペレータ等でページをあらわす矩形を埋め尽くすことも可能である。
【００２５】
この段階でのページイメージを図３に示している。破線は便宜上のパターンの境界を示している。例では、パターンが４×６で描画されている。この中の最下段のパターンは高さが半分になっている。これは描画したパターンがページ領域からはみ出しているために実際にはプリントされないことを示している。
【００２６】
Ｓ１４において、埋め込むべき潜像を表す指定パスで囲まれる領域を白色（画像形成されない色）で塗りつぶす。この際、ページ上に配置されるパスをすべて指定してもかまわないし、基本パスを指定して、特定のルールにしたがって、ページ上に指定パスを繰り返して配置する構成をとることも可能である。また、指定パスが文字列の場合はフォント、フォントサイズなどの指定に従って、文字列を白色（画像形成されない色）で描画しても同等の機能を実現できる。
【００２７】
図４ないし図６に指定パスの塗りつぶしの例を示している。図４に示した例では、星型の指定パスを白で塗りつぶした例である。また、図５は、「禁複写」の文字列を白色で描画したものである。さらに図６は、この「禁複写」の文字列を基本パターンとして、特定のルールに従って繰り返して描画したものである。図６で用いたルールは、文字列の間の間隔（文字列をひとつ描画してから、次の文字列を描画する場合の水平方向の間隔）と文字列行間（垂直方向の文字列の間の距離）を定められた値にするというものである。なお、各図において指定パスを示す細線は便宜上示したもので、実際の出力イメージにはないものである。以下の図においても同様である。
【００２８】
この場合の潜像パターンのパス指定は、ＰｏｓｔＳｃｒｉｐｔにおけるまさにパス指定であるので、解像度に依存しない。すなわち、画像形成部３の解像度が異なる場合でも、それぞれの画像形成部の解像度ごとにデータを用意することなく、良好な画質が得られる。また、特に文字などの場合、文字輪郭をビットマップなどの画像データとして保持して解像度に応じて拡大あるいは縮小するとジャギーが発生する場合があるが、上述のような指定パスによる塗り潰しの場合、そのような問題は起こらない。なお、文字の場合、フォント、フォントサイズは任意であり、また容易に選択可能である。
【００２９】
Ｓ１５〜Ｓ１７は一連の処理である。Ｓ１５では、Ｓ１４で塗り潰しに用いた指定パスとまったく同じパスによるクリップ状態を生成する。続けてＳ１６において、Ｓ１３のパターン描画で用いたのとは別の方のパターンを用い、Ｓ１３のパターン描画と同様の方法でページ内を埋め尽くす描画処理を行う。Ｓ１５でクリップ状態が生成されていなければ、Ｓ１３におけるパターン描画の場合と同様にパターンでページ内が埋め尽くされるが、指定パスによるクリップ状態にあるので、クリップ内のみにパターンが描画されることとなる。最後にＳ１７において、以降の処理、例えば複写偽造防止用紙上に所望の文書データを描画するなどの処理のために、クリップ状態を解除しておく。
【００３０】
図７に最終的に描画された複写偽造防止用の画像の例を示している。図７（Ａ）に示すパターンを用いて、指定パスでクリップした領域内を塗り潰した結果を図７（Ｂ）〜（Ｄ）に示している。それぞれ、図４〜図６に対応するものである。また図８には、図７（Ｄ）に示した画像を形成した複写偽造防止用紙を複写機で複写した場合の画像の一例を示している。図８（Ａ）は、Ｓ１３において描画するパターンとして、複写機で複写したときに解像不可能なパターンを用いた場合を示しており、指定パスの部分が白く抜ける。また図８（Ｂ）は、Ｓ１３において描画するパターンとして複写機で複写したときに解像可能なパターンを用いた場合を示しており、指定パスの部分のみが現出し、他の部分は白く抜ける。いずれの場合にも、複写偽造防止用紙上では目立たない文字が、複写すると現出することになる。このようにして複写機を用いた偽造を防止することができる。なお、現出する文字などは、指定パターンを用いて描画されているので、その輪郭部にジャギーなどが発生せず、良好な画質で再現されることになる。
【００３１】
用紙情報生成部１では、以上の描画処理が画像形成部３において行われるように、描画情報を生成する。すなわち、複写機で解像できるパターンと複写機で解像できないパターンの２種類の定義部分（Ｓ１２に相当）と、一方のパターンでページ内を埋め尽くす手続き部分（Ｓ１３に相当）と、その上で指定パス内を画像形成されない色で塗りつぶす手続き部分（Ｓ１４に相当）と、さらに同一の指定パスで描画クリップ状態を生成する手続き部分（Ｓ１５に相当）と、該描画クリップ状態のもとで他方のパターンでページ内を埋め尽くす手続き部分（Ｓ１６に相当）を含む描画情報を生成すればよい。そして画像形成部３では、送られてきた描画情報に従って描画処理を行うだけで上述のような描画処理が実行され、複写偽造防止用紙を生成することができる。
【００３２】
従来のように複写偽造防止用紙を生成するためのデータをビットマップなどの画像データとして持った場合では、６００ｄｐｉ／Ａ４で単色（ＹＭＣＫいずれか）の場合、約４Ｍバイト程度のデータ量となっていた。しかし本発明では、パターンサイズ２５６×２５６画素の場合、パターン２種で１６Ｋバイトとなり複写偽造防止用紙データのサイズは１００分の１以下となる。
【００３３】
このようにデータ量が削減されたことによって、用紙情報生成部１で複写偽造防止用紙のための描画情報を生成する際の処理を高速化することができ、また、画像形成部３への転送も短時間で行うことができる。そのため、例えばネットワークなどを利用して複写偽造防止用紙の描画情報を転送する場合でも、ネットワークにそれほど負荷をかけずに行うことができる。また、画像形成部３の解像度が異なっても２種類のパターン以外は変更不要であるし、２種類のパターンについても、異なる解像度毎に用意しておいてもそれほどのデータ量の増加にはならない。
【００３４】
図９は、本発明の複写偽造防止用紙生成装置の実施の一形態の変形例を示すブロック図である。図中、図１と同様の部分には同じ符号を付して説明を省略する。４は描画情報格納部である。上述のように、複写偽造防止用紙を生成するための描画情報は、従来に比べて非常にデータ量が少ないので、例えば数種類の複写偽造防止用紙の描画情報を描画情報格納部４に格納しておくことができる。数種類の複写偽造防止用紙の描画情報を格納しても、それほどの記憶容量を必要としない。そして、例えば画像形成部３に設けられた操作パネルから使用する複写偽造防止用紙を指示されたり、あるいは外部から複写偽造防止用紙を指定する命令を受け取り、その指示や命令に従って複写偽造防止用紙を生成するように構成することができる。この場合、不正に複写偽造防止用紙を取得できないように、セキュリティを確保しておくとよい。
【００３５】
【発明の効果】
以上の説明から明らかなように、本発明によれば、ＰＤＬ等の描画情報によって複写偽造防止用紙の画像を記述するので、描画情報の生成処理時間の短縮を図るとともに、データサイズの大幅な削減が可能となる。また、解像度に依存しない複写偽造防止用紙のための描画情報が生成可能であり、画質上良好な結果が得られるという効果がある。
【図面の簡単な説明】
【図１】  本発明の複写偽造防止用紙生成装置の実施の一形態を示すブロック図である。
【図２】  複写偽造防止用紙に形成する画像を生成する際の処理の一例を示すフローチャートである。
【図３】  一方のパターンでページを塗り潰した段階において生成される画像の具体例の説明図である。
【図４】  指定パスで塗り潰した段階において生成される画像の第１の具体例の説明図である。
【図５】  指定パスで塗り潰した段階において生成される画像の第２の具体例の説明図である。
【図６】  指定パスで塗り潰した段階において生成される画像の第３の具体例の説明図である。
【図７】  最終的に生成される複写偽造防止用紙の画像の具体例の説明図である。
【図８】  生成された複写偽造防止用紙を複写機で複写したときに得られる画像の一例の説明図である。
【図９】  本発明の複写偽造防止用紙生成装置の実施の一形態の変形例を示すブロック図である。
【符号の説明】
１…用紙情報生成部、２…パラメータ指定部、３…画像形成部、４…描画情報格納部。
【図１】
0003838327.tif 000002
【図２】
0003838327.tif 000003
【図３】
0003838327.tif 000004
【図４】
0003838327.tif 000005
【図５】
0003838327.tif 000006
【図６】
0003838327.tif 000007
【図７】
0003838327.tif 000008
【図８】
0003838327.tif 000009
【図９】
0003838327.tif 000010